(57)【特許請求の範囲】
【請求項１】
サクションボックスと白水キャナルを備えた抄紙機において、
前記サクションボックスと白水キャナルとを接続する排水管が設けられており、
該排水管は、
その先端が前記白水キャナルの側壁に設けられている開口に接続されており、
該白水キャナルの側壁に設けられている開口との接続部において、該排水管の軸方向が、前記白水キャナルの側壁に対し、平面視で直角より小さい傾斜角度となるように配設されており、
該白水キャナルの側壁に設けた開口は、抄紙機のワイヤパートの稼動中において、その上端が白水キャナルを流れる白水の水面より下方に位置するように形成されている
ことを特徴とする抄紙機の排水ダクト。
【請求項２】
前記サクションボックス内を負圧にするための負圧源が、前記排水管に、該排水管の内部を流れる水の水面より上方に接続された
ことを特徴とする請求項１記載の抄紙機の排水ダクト。
【発明の詳細な説明】
【０００１】
【発明の属する技術分野】
本発明は、抄紙機の排水ダクトに関する。
【０００２】
【従来の技術】
抄紙機の一例として、ツインワイヤ式抄紙機を図３に基づき説明する。
１はフォーミングロール、２はブレストロールで、これらのロール１，２は互いに接近して配置され、後述する上下部フォーミングワイヤのニップ部Ｎを構成している。３は上部フォーミングワイヤ（以下、上部ワイヤという）で、フォーミングロール１と複数のガイドロール１１にエンドレスに巻き掛けられて、ワイヤパートの上半分領域で循環する。４は下部フォーミングワイヤ（以下、下部ワイヤという）で、ブレストロール２と複数のガイドロール１２にエンドレスに巻き掛けられて、ワイヤパートの下半分領域で循環する。
前記上部ワイヤ３がフォーミングロール１に巻き掛けられた部分と、前記下部ワイヤ４がブレストロール２に巻き掛けられた部分は、ワイヤ３，４が互いに接近する方向に走行する部分であり、側面視で漏半状の開口部を形成している。そして、開口部の奥底が、フォーミングロール１とブレストロール２で挟まれるニップ部Ｎであり、そこから各ワイヤ３，４の走行方向下流側において、各ワイヤ３，４が重なって走行する領域の内部が紙層を形成するフォーミングゾーンを構成している。
そして、前記開口部に臨むように、ヘッドボックス６が配置されており、紙料懸濁液（以下、紙料液という）を前記ワイヤ３，４間に噴出させるようにしている。このようにして紙料液がフォーミングゾーンに供給される。この紙料液は、パルプと水の割合（重量）が約１対100 の懸濁液である。
【０００３】
前記フォーミングロール１に後続して、前記上部ワイヤ３の上方には、サクションボックス３０が設けられている。このサクションボックス３０はフォーミングゾーンを通過していく紙料液から水分の数１０％を吸引するために設けられている。さらに、このサクションボックス３０の下面には数本の固定ブレード７が固定されており、上部ワイヤ３をガイドするようにしている。
上記サクションボックス３０の下方領域において、下部ワイヤ４の下面には可動式のブレード８が配置されており、下部ワイヤ４を下方から支えている。
紙料液は、フォーミングロール１とブレストロール２に挟まれたニップ部Ｎと、上下のブレード７，８との間を通過する間に、上下ワイヤ３，４で搬送されながら大部分の水分が除去されて紙層に形成されていく。
【０００４】
サクションボックス３０に吸引された水は図示しない排水管を通して機外へ排出され、可動ブレード８を設けた領域から下へ流れ落ちた水は、セーブオール５０によってワイヤパートの中央部に設けた排水口５１へ誘導され、排水口５１から図示しない白水キャナルを通って機外に排出される。
【０００５】
【発明が解決しようとする課題】
しかるに、前記サクションボックス３０は負圧源に接続されており、この負圧源によってその内部を負圧とし、紙料液の水を脱水している。したがって、サクションボックス３０と排水管との間にはサクションボックス３０内を気密に保つシールピットが必要であるし、サクションボックス３０と負圧源の接続部分にはウォータセパレータ等の設備が必要となり、設備費が高騰する。
【０００６】
本発明はかかる事情に鑑み、サクションボックスの脱水機能を維持したままで設備の構造を簡単にでき、しかも設備費が低廉な排水ダクトを提供することを目的とする。
【０００７】
【課題を解決するための手段】
請求項１の抄紙機の排水ダクトは、サクションボックスと白水キャナルを備えた抄紙機において、前記サクションボックスと白水キャナルとを接続する排水管が設けられており、該排水管は、その先端が前記白水キャナルの側壁に設けられている開口に接続されており、該白水キャナルの側壁に設けられている開口との接続部において、該排水管の軸方向が、前記白水キャナルの側壁に対し、平面視で直角より小さい傾斜角度となるように配設されており、該白水キャナルの側壁に設けた開口は、抄紙機のワイヤパートの稼動中において、その上端が白水キャナルを流れる白水の水面より下方に位置するように形成されていることを特徴とする。
請求項２の抄紙機の排水ダクトは、請求項１記載の発明において、前記サクションボックス内の負圧するための負圧源が、前記排水管に、該排水管の内部を流れる水の水面より上方に接続されたことを特徴とする。
【０００８】
請求項１の発明によれば、排水管の先端が白水キャナルの側壁の開口部に接続されており、しかも抄紙機のワイヤパートの稼動中において開口部の上端が水面より下方に位置しているので、排水管は白水キャナルを流れる白水の水中に開口することになる。このため、抄紙機のワイヤパートの稼動中には、排水管内部における気相部分と白水キャナル内部の気相部分が常に水によってシールされるから、サクションボックスが排水管を通して白水キャナル内の空気を吸引することを防ぐことができる。つまり、排水管と白水キャナルの接続部分において白水による自己シーリングが行われるので、排水管内を気密に保つことができる。よって、排水管とサクションボックスとの間にシールピットが不要となり、設備の構造が簡単となる。しかも、排水管から流出する水は白水キャナル中の水の流れに対し小さな傾斜角で入っていくので、白水キャナル内の水の流れを乱すことなく排水管から白水キャナルに水を送ることができる。そして、排水管内の水の流れをスムースにすることができるから、排水管中に水が残留することを防ぐことができる。
請求項２の発明によれば、負圧源と排水管の接続部分にウォータセパレータが不要となるので、設備の構造が簡単になる。
【０００９】
【発明の実施の形態】
つぎに、本発明の実施形態を図面に基づき説明する。
図２は図３のII−II線概略断面矢視図である。図３はツインワイヤ式抄紙機のワイヤパートの全体側面図である。図２および図３において、符号３０は上下ワイヤ３，４に挟まれて搬送される紙料液の水分を吸引するために設けられたサクションボックスを示している。このサクションボックス３０は、その内部に複数のチャンバ30c を備えており、各チャンバ30c は、それぞれ吸引した水を機外に排水するための排水管30p を備えている。
また、図２および図３において、符号５１はワイヤパートの側壁に設けられた排水口を示しており、この排水口５１には白水キャナルＤＰが接続されている。そして、この排水口５１と可動ブレード８の下方との間にはセーブオール５０が設けられている。
このため、サクションボックス３０によって紙料液から除去された水は、サクションボックス３０の各チャンバ30c に設けられた排水管30p を通して機外に排出することができるし、可動ブレード８によって紙料液から除去された水は、セーブオール５０と白水キャナルＤＰを通して機外に排出することができる。
【００１０】
さて、本発明の特徴である排水ダクトの構成について説明する。
なお、本発明の排水ダクトとは、上記の白水キャナルＤＰと、サクションボックス３０の各チャンバ30c に設けられた排水管30p から構成される排水経路およびその付属装置のことである。
【００１１】
図１（Ａ）は本実施形態の排水ダクトの概略説明図であり、図１（Ｂ）は排水管30p と白水キャナルＤＰの接続部の拡大断面図である。図１および図２に示すように、前記白水キャナルＤＰの側壁ＳＷには、開口ＤＨが形成されている。この開口ＤＨは、その上端が、ワイヤパートの稼働中において白水キャナルＤＰ内を流れる白水の水面ＷＦよりも常に下方となる位置に形成されている。この白水キャナルＤＰの開口ＤＨには、前記サクションボックス３０のチャンバ30c のうち最下流側のチャンバ30c （図２では右端に設けられたチャンバ30c 、以下単に右チャンバ30c という）に設けられた排水管30p の先端が接続されている。
【００１２】
このため、右チャンバ30c の排水管30p の先端は、常に白水キャナルＤＰ内を流れる白水の水中に接続されることになり、排水管30p 内部における気相部分と白水キャナルＤＰ内部の気相部分が、白水キャナルＤＰ内を流れる白水によって常にシールされるから白水キャナルＤＰ内部に対して排水管30p 内が気密に保たれる。よって、サクションボックス３０内部が負圧になっていても、排水管30p を通して白水キャナルＤＰ内の空気がサクションボックス３０内に吸引されることを防ぐことができるので、サクションボックス３０内の真空度が低下することを防ぐことができる。
【００１３】
上記のごとく、本発明の排水ダクトによれば、排水管30p と白水キャナルＤＰの接続部分において水による自己シーリングが行われるので、排水管30p とサクションボックス３０の右チャンバ30c との間にシールピットを設けなくてもサクションボックス３０および排水管30p の内部を気密に保つことができ、設備の構造を簡単にすることができる。
しかも、サクションボックス３０の右チャンバ30c を負圧にする負圧源ＢＰを排水管30p に接続した場合、その接続部分を排水管30p の内部を流れる水の水面より上方に接続しておけば、負圧源ＢＰに水が到達する心配が無く、負圧源ＢＰと排水管30p との接続部分にウォータセパレータが不要となるので、設備の構造が簡単になる。
なお、負圧減ＢＰは、サクションボックス３０の右チャンバ30c に接続してもよい。
【００１４】
また、図２に示すように、右チャンバ30c の排水管30p は、前記白水キャナルＤＰの側壁ＳＷとの接続部において、その軸方向が白水キャナルＤＰの側壁ＳＷに対して、平面視で直角より小さい傾斜角度θとなるように接続されている。つまり、右チャンバ30c の排水管30p と白水キャナルＤＰがＹ字状となっており、排水管30p 内を流れる水の流線が、白水キャナルＤＰ内を流れる白水の流線に対して直角より小さい傾斜角度で合流するように配設されているのである。
このため、排水管30p から流出する水と白水キャナルＤＰ中の白水とが合流した部分で、白水キャナルＤＰ内の白水の流れが大きく乱れることを防ぐことができるので、排水管30p 内の水の流れをスムースにすることができる。
また、配水管30p の底面は白水キャナルＤＰに向かって下傾するように形成されているから、スムースな流れを保ったまま排水管30p から白水キャナルＤＰに水を送ることができ、しかも排水管30p 中に水が残留することを防ぐことができる。
【００１５】
【発明の効果】
請求項１の発明によれば、排水管と白水キャナルの接続部分において白水による自己シーリングが行われるので、排水管内を気密に保つことができ、排水管とサクションボックスとの間にシールピットが不要となり、設備の構造が簡単となる。しかも、白水キャナル内の水の流れを乱すことなく排水管から白水キャナルに水を送ることができ、排水管内の水の流れをスムースにすることができ、排水管中に水が残留することを防ぐことができる。
請求項２の発明によれば、負圧源と排水管の接続部分にウォータセパレータが不要となるので、設備の構造が簡単になる。
【図面の簡単な説明】
【図１】  （Ａ）は本実施形態の排水ダクトの概略説明図であり、（Ｂ）は排水管30p と白水キャナルＤＰの接続部の拡大断面図である。
【図２】  図３のII−II線概略断面矢視図である。
【図３】  ツインワイヤ式抄紙機のワイヤパートの全体側面図である。
【符号の説明】
３０      サクションボックス
３０ｃ    サクションチャンバ
ＤＰ      白水キャナル
ＤＨ      開口
ＳＷ      側壁
ＢＰ      負圧源
【図１】
0003839745.tif 000002
【図２】
0003839745.tif 000003
【図３】
0003839745.tif 000004